(57)【要約】【課題】  光学ローパス効果を電気的に制御可能な光学機器を提供する。【解決手段】  光学像を電気信号に変換して出力する撮像素子（１０）への光線の入射位置を変形することによって変化させる光学素子（４）と、光学素子の駆動を制御する制御手段とを有する。【選択図】  図９
2005072778.tif 000002
【特許請求の範囲】
【請求項１】
光学像を電気信号に変換して出力する撮像素子表面への光線の到達位置について変形を繰返すことによって変化させる光学素子と、
この光学素子の当該変形を制御する制御手段とを有し、
前記光学素子の繰返しの変形によって前記光学像の高周波成分を低減することを特徴とする光学機器。  
【請求項２】
前記制御手段は、前記光学素子を特定の方向において周期的に変形させることを特徴とする請求項１に記載の光学機器。
【請求項３】
前記制御手段は、前記光学素子に表面波を発生させることを特徴とする請求項２に記載の光学機器。
【請求項４】
前記制御手段は、前記光学素子に進行波を発生させ、前記撮像素子での撮像を行う間に前記進行波を少なくとも１波長進行させることを特徴とする請求項２に記載の光学機器。
【請求項５】
前記光学素子を変形させて前記撮像素子での撮像を行わせる第１の撮像モードと、前記光学素子を変形させずに前記撮像素子での撮像を行わせる第２の撮像モードに設定可能なモード設定手段を有することを特徴とする請求項１に記載の光学機器。
【請求項６】
前記制御手段は、前記撮像素子の出力に基づいて、前記光学素子を変形させて前記撮像素子での撮像を行わせる第１の撮像モードおよび前記光学素子を変形させずに前記撮像素子での撮像を行わせる第２の撮像モードのうち一方の撮像モードに設定することを特徴とする請求項１に記載の光学機器。
【発明の詳細な説明】
【技術分野】
【０００１】
本発明は、光学ローパスフィルタ効果を電気的に制御可能なデジタルスチルカメラ等の光学機器に関するものである。
【背景技術】
【０００２】
デジタルスチルカメラは撮影光を電気的な信号に変換する撮像素子を有し、撮像素子から出力される光電変換信号を画像処理することにより被写体像を再現している。撮像素子の光電変換部を構成する複数の画素は規則的に配列されているため、撮像面上で結像する被写体像に、撮像素子の画素の配列周期（画素ピッチ）で決まる空間周波数（ナイキスト周波数）よりも高い空間周波数の画像が含まれていると、再現された被写体像にはモアレや偽色が発生する。
【０００３】
このため、一般的にデジタルスチルカメラには、撮影光路中に水晶やニオブ酸リチウム等からなる光学ローパスフィルタが配置され、撮影光束を分離して撮像素子に導くことによりモアレや偽色の発生を防止している。図２４は水晶を用いた光学ローパスフィルタのＭＴＦ特性を示したもので、撮像素子の画素周期で決まるナイキスト周波数のＭＴＦがほぼ０になるようになっている。
【０００４】
一方、撮影光路中に複屈折性を切り替え可能な複数の液晶板を設け、光学ローパス効果を可変とする撮像装置がある（例えば、特許文献１参照）。
【特許文献１】特開平６−２９２０９３号公報（段落番号００４２、第１図、第２図）
【発明の開示】
【発明が解決しようとする課題】
【０００５】
しかしながら、水晶等の光学ローパスフィルタをデジタルスチルカメラ等の光学機器の撮影光路中に配置すると、この光学ローパス効果により被写体像がぼけてしまい解像度が低下してしまうという欠点がある。また、ユーザによっては光学ローパス効果よりも解像度を優先させたい場合もあるため、常に光学ローパス効果を発生させる構成では上記のユーザの要求に対応することができない。
【０００６】
ここで、特許文献１に開示されている撮像装置では、各液晶板への電圧をオン／オフ制御することにより、光学ローパス効果を発生させたり、発生させなかったりすることができる。
【０００７】
しかし、この撮像装置では、液晶板の散乱特性によって被写体像の解像度が低下してしまうという欠点がある。また、光学ローパス効果を得るために、常光と異常光との光の進行方向を効率よく変えるには液晶板の全ての液晶分子の配向方向を光軸に対して４５°に保たなければならず、この配向制御は大変難しいという欠点がある。さらに、液晶板は通常２枚の基板ガラスより構成され、この厚みが厚いため、カメラの機種によってはレイアウト上、液晶板を撮影光路中に配置できないという欠点がある。
【課題を解決するための手段】
【０００８】
本発明の光学機器は、光学像を電気信号に変換して出力する撮像素子への光線の入射位置を変形することによって変化させる光学素子と、この光学素子の駆動を制御する制御手段とを有することを特徴とする。
【０００９】
ここで、制御手段の駆動制御によって、光学素子を特定の方向において周期的に変形させることができる。例えば、光学素子に、周期的に変化する表面波を発生させたり、進行波を発生させたりすることができる。進行波を発生させる場合には、撮像素子での撮像を行う間に、進行波を少なくとも１波長進行させるようにするのが好適である。
【００１０】
そして、光学素子の駆動タイミングを変えることにより、互いに異なる方向に光学素子を周期的に変形させることができる。例えば、撮像素子における特定の画素の配列方向および該配列方向に対して所定の角度をもつ方向（例えば、直交する方向）に光学素子を周期的に変形させることができる。
【００１１】
なお、光学素子を圧電性の透明基板で構成したり、透明基板の表面に圧電性の薄膜を設けたりすることができる。そして、制御手段から圧電性の透明基板又は薄膜に所定の電圧を印加（電気的に制御）するようにすれば、透明基板を周期的に変形させることができる。
【００１２】
一方、光学素子を変形させて撮像素子での撮像を行わせる第１の撮像モードと、光学素子を変形させずに撮像素子での撮像を行わせる第２の撮像モードに設定可能なモード設定手段を設けることができる。
【００１３】
また、撮像素子の出力に基づいて、光学素子を変形させて撮像素子での撮像を行わせる第１の撮像モードおよび光学素子を変形させずに撮像素子での撮像を行わせる第２の撮像モードのうち一方の撮像モードに設定するようにすることもできる。
【発明の効果】
【００１４】
本願請求項１に記載の発明によれば、光学素子を繰り返し変形させて撮像素子に入射する光線の撮像素子表面の到達位置を変化させることにより、光学ローパス効果を発現させて撮像素子によって撮像された画像にモアレや偽色が発生するのを防止することができる。しかも、本発明は、光学素子を変形させるだけであるため、背景技術のように複数の基板ガラスを用いる必要はなく、光学素子を薄型化することができる。したがって、光学機器の機種毎のレイアウトに制限されることなく光学素子を配置することができる。
【００１５】
そして、光学素子を変形させない状態において光線の入射位置を変化させなければ、光学ローパス効果を発現させずに解像度の高い画像を得ることができる。このように光学素子を変形させたり、変形させなかったりすることで、光学ローパス効果を発現させた画像を得ることができたり、解像度の高い画像を得たりすることができるため、ユーザの要求に対応させることができる。
【００１６】
ここで、光学素子を特定の方向、例えば、撮像素子の画素の配列方向において周期的に変形させれば（周期的に変化する表面波や進行波を発生させれば）、撮像素子の画素の周期構造に対応した光学ローパス効果を得ることができる。
【００１７】
本願請求項４に記載の発明によれば、撮像素子での撮像を行う間に、光学素子に発生させた進行波を少なくとも１波長進行させることにより、撮像素子上で分離される像の広がりのバラツキを抑えることができ、良好な光学ローパス効果を得ることができる。
【００１８】
本願請求項５に記載の発明によれば、第１の撮像モードおよび第２の撮像モードを設定するモード設定手段を光学機器に設けることにより、ユーザはモード設定手段を介して適宜、撮像モードを切り替えることができる。
【００１９】
本願請求項６に記載の発明によれば、撮像素子の出力に基づいて第１の撮像モードおよび第２の撮像モードのうち一方を自動的に選択して設定するため、ユーザが撮像モードを設定する際の煩雑さをなくすことができる。
【発明を実施するための最良の形態】
【００２０】
以下、本発明の実施例について図面を参照しながら説明する。
【実施例１】
【００２１】
図１〜図１６は本発明の実施例１であるカメラ（光学機器）を説明するための図である。
【００２２】
図１は、本実施例のカメラの概略構成図である。同図において、１０はＣＣＤやＣＭＯＳイメージセンサ等の撮像素子で、デジタルスチルカメラ１における撮影レンズ５ａ、５ｂの予定結像面に配置されている。撮影レンズ５ａ、５ｂは光軸方向に移動することにより撮影光学系の変倍動作および焦点調節動作を行う。撮像素子１０に対して被写体側（図１の左側）の近傍には、光学ローパスフィルタ（光学素子）４が撮影光路中に固定された状態で配置されている。
【００２３】
２は絞りを兼ねたシャッタである。９は液晶表示素子で、撮像素子１０にて得られた被写体像を表示する。これにより、撮影者は、接眼レンズ３を介して液晶表示素子９に表示された被写体像を観察することができる。なお、図１では、撮影レンズを便宜上２枚のレンズ５ａ、５ｂで示しているが、実際は複数枚のレンズで構成されている。
【００２４】
図２は、カメラ１の電気回路ブロック図である。ＣＰＵ２０はカメラ全体の動作を制御する。レンズ駆動回路２６はＣＰＵ２０の出力に基づいて撮影レンズ５を駆動し、シャッタ制御回路２８はＣＰＵ２０の出力に基づいてシャッタ２の駆動（露光時間および絞り口径）を制御する。
【００２５】
表面弾性波発生回路２７は、ＣＰＵ２０の出力に基づいて光学ローパスフィルタ４に光学ローパス効果を発現させるものであり、詳しい説明は後述する。撮像素子制御回路２１はＣＰＵ２０の出力に基づいて撮像素子１０の駆動（画像の蓄積および読み出し）を制御する。
【００２６】
画像処理回路２４は、撮像素子１０から読み出された画像信号に対して画像処理（色処理やガンマ補正等）を行い、液晶表示素子駆動回路２５は、ＣＰＵ２０の出力に基づいて液晶表示素子９を駆動する。メモリ回路２２は、撮像素子１０にて撮像された画像データを記録し、インターフェイス回路２３は、画像処理回路２４にて画像処理された画像データをカメラ外部（ＰＣやプリンタ等）に出力する。
【００２７】
信号入力回路２９は、各種スイッチの設定状態を確認してＣＰＵ２０に出力する。具体的には、カメラ１に設けられたレリーズボタンの操作によってオン／オフするＳＷ１、ＳＷ２の状態やカメラ１に設けられた後述のモードダイヤル１９の操作状態を確認してＣＰＵ２０に出力する。
【００２８】
図３は、カメラ１に搭載される撮像素子１０の正面図であり、図中Ｘ方向およびＹ方向に光電変換部を有する画素が周期的に配列されている。本実施例では、図中Ｘ方向を画素配列方向と定める。
【００２９】
図４は、本実施例における光学ローパスフィルタ４の正面図である。光学ローパスフィルタ４は、水晶、タンタル酸リチウム、ニオブ酸リチウム等の酸化物単結晶からなる圧電性透明基板４１と、圧電性透明基板４１の図中点線で囲まれた領域（撮像素子１０における撮影有効領域に相当する領域）の外側に設けられた櫛形電極４２（４２ａ、４２ｂ）、４３（４３ａ、４３ｂ）とで構成されている。
【００３０】
圧電性透明基板４１は、光学軸が面内にあるようにカットされている。櫛形電極４２は、撮像素子１０の画素配列方向（Ｘ方向）と直交する方向（Ｙ方向）に表面弾性波を発生させるための電極であり、櫛形電極４３は、撮像素子１０の画素配列方向（Ｘ方向）と平行な方向（Ｘ方向）に表面弾性波を発生させるための電極である。各電極４２、４３はＡＬで構成されており、表面弾性波発生回路２７と結線されている。
【００３１】
本実施例によれば、光学ローパスフィルタ４を単一の圧電性透明基板４１で構成しているため、従来例のように複数の基板ガラスで構成したものに比べて、厚みを薄くすることができ、カメラの機種によらずに撮影光路内に配置することができる。
【００３２】
以下、図５のフローチャートを用いてカメラの動作を説明する。
【００３３】
撮影者がカメラ１に設けられたメインスイッチ（図１では不図示）をオン状態にすると（Ｓ１０１）、カメラ１は待機状態から復帰する。ＣＰＵ２０は、まず撮像素子制御回路２１に撮像信号を送って、撮像素子１０にて電子ビューファインダ（ＥＶＦ）用の画像の撮像を行わせる（Ｓ１０２）。
【００３４】
撮像素子１０は、全画素に対して所定の比率で間引いた画素数の画像が出力されるように撮像素子制御回路２１によって制御される。このとき、表面弾性波発生回路２７による光学ローパスフィルタ４の駆動は行われないようになっている（櫛形電極４２、４３に電圧が供給されないようになっている）ため、光学ローパスフィルタ４は一般的な（撮影光線を屈折させない）透明基板として作用する。
【００３５】
このように、ＥＶＦ用の画像を撮像する際に、表面弾性波を発生させないようにすることで、電力の消費を最小限に抑えるようにしている。
【００３６】
撮像素子１０から出力された画像データは、画像処理回路２４によってＥＶＦ用の画像データに処理されてから液晶表示素子駆動回路２５に送られる。ＣＰＵ２０を介して画像データを受けた液晶表示素子駆動回路２５は、液晶表示素子９を駆動して撮影画像を表示（ＥＶＦ表示）する（Ｓ１０３）。
【００３７】
撮影者のレリーズボタンの操作によってレリーズスイッチのＳＷ１をオン状態にしたことを信号入力回路２９を介して検知すると（Ｓ１０４）、カメラ１のＣＰＵ２０は撮影光学系の焦点調節状態を検出する（Ｓ１０５）。本実施例のカメラ１は、公知のコントラスト方式によって焦点調節状態を検出する。
【００３８】
撮像素子１０の出力に基づいて撮影レンズ５の焦点調節状態を検出する機能を兼ね備えたＣＰＵ２０は、先に撮像素子１０にて撮像された画像のコントラストをＡＦ評価値として算出する。画像のコントラストが低く、ＡＦ評価値が所定のＡＦ判定レベルより小さい場合は、ＣＰＵ２０は撮影レンズ５が合焦状態ではないと判定して（Ｓ１０６）、レンズ駆動回路２６にレンズ駆動信号を送って撮影レンズ５を所定の合焦位置まで駆動する（Ｓ１１１）。
【００３９】
一方、撮像素子１０にて得られた画像のコントラストが高く、ＡＦ評価値が所定のＡＦ判定レベルよりも大きい場合は、ＣＰＵ２０は撮影レンズ５が合焦状態にあると判定して（Ｓ１０６）、信号入力回路２９を介してレリーズスイッチのＳＷ２がオン状態にあるか否かを確認する。ＳＷ２がオン状態であれば（Ｓ１０７）、メモリ回路２２に本画像を記録するための撮像を行う（Ｓ１０８）。
【００４０】
ここで、図６のフローチャートと図８のタイミングチャートを用いてカメラ１の本画像の撮像動作を説明する。
【００４１】
ＣＰＵ２０は、ＳＷ２がオン状態になったことに応じて撮像素子制御回路２１に撮像信号を送ることで撮像素子１０にて本画像の撮像を開始する（Ｓ１２０）。撮像素子制御回路２１は、撮像素子１０に撮像制御信号Ｓｅｎｓを送って撮像素子１０の駆動を制御する。次に、ＣＰＵ２０はシャッタ制御回路２８に露出情報（シャッタ速度および絞り値）を送ることでシャッタ２を開かせる（Ｓ１２１）。
【００４２】
シャッタ制御回路２８は、シャッタ２にシャッタ制御信号ＳＨを送ってシャッタ２の動作を制御する。このとき、シャッタ２は絞りも兼ねているので、撮像素子１０の出力にて検出された被写体輝度に対応した所定の開口径となるようにシャッタ２の動作が制御される。
【００４３】
さらに、ＣＰＵ２０は信号入力回路２９を介して撮影モードを選択するためのモードダイヤル１９の設定状態を確認する。モードダイヤル１９は、図７のモードダイヤル説明図に示すように、カメラ１に対して回転可能に設けられている。
【００４４】
モードダイヤル１９の回転操作によって、モードダイヤル１９の表面に表示された「ｏｎ」を「ＬＰＦ」の指標に合わせると、光学ローパスフィルタ４にて光学ローパス効果を発現させる光学ローパス効果撮影モード（第１の撮像モード）に設定することができる。また、「ｏｆｆ」の表示を指標「ＬＰＦ」に合わせると、光学ローパス効果を発現させずに解像度の高い画像を得るための高解像撮影モード（第２の撮像モード）に設定することができる。さらに、「ａｕｔｏ」の表示を指標「ＬＰＦ」に合わせると、光学ローパス効果撮影モードおよび高解像撮影モードのうち一方の撮影モードをカメラ１が自動的に選択する自動選択モードに設定することができる。
【００４５】
撮影者はモードダイヤル１９を操作することにより、被写体に応じて光学ローパスフィルタ４における光学ローパス効果のオン／オフを任意に切り替えることができるとともに、カメラ１まかせの自動選択モードに設定することができる。なお、本実施例では、ダイヤル式の操作部材を用いて撮影モードの選択を行っているが、ボタン操作や音声等によって撮影モードの情報を入力するようにしてもよい。
【００４６】
本実施例によれば、モードダイヤル１９の操作によって光学ローパス効果を発現させたり、発現させなったりすることができるため、撮影者の要求に対応させることができる。
【００４７】
撮影者がモードダイヤル１９を操作することによって自動選択モードに設定している場合（Ｓ１２２）にはステップＳ１２４に進み、自動選択モードに設定されていなければステップＳ１２３に進む。
【００４８】
光学ローパス効果撮影モードが設定されていれば（Ｓ１２４）、光学ローパスフィルタ４に表面弾性波を発生させて光学ローパス効果が得られる撮影モードで撮像動作を行う。すなわち、ＣＰＵ２０は表面弾性波発生回路２７に信号を送って、光学ローパスフィルタ４に表面弾性波を発生させる（Ｓ１２５）。
【００４９】
図８のタイミングチャートに示すように、表面弾性波発生回路２７は櫛形電極４３ａ、４３ｂ間にＳＡＷ＿Ｘのタイミングで交流電圧を印加するとともに、櫛形電極４２ａ、４２ｂ間にＳＡＷ＿Ｙのタイミングで交流電圧を印加する。本実施例では、図８に示すように、シャッタ２が開いている露光時間中に、撮像素子１０の画素配列方向（図３のＸ方向）に３回の表面弾性波を発生させるとともに、撮像素子１０の画素配列方向（Ｘ方向）と直交する方向（図３のＹ方向）に３回の表面弾性波を発生させるようにしている。
【００５０】
ここで、表面弾性波発生回路２７から櫛形電極４２、４３に出力されるＳＡＷ＿Ｘ、ＳＡＷ＿Ｙの駆動信号は、同一周期であって、互いに異なるタイミングで出力されるようになっているため、表面弾性波が光学ローパスフィルタ４の２軸方向（Ｘ、Ｙ方向）にそれぞれ独立して発生することになる。
【００５１】
光学ローパスフィルタ４に表面弾性波が発生したときの撮影光線の状態を示したのが図９である。
【００５２】
表面弾性波発生回路２７から圧電性透明基板４１の表面に蒸着した櫛形電極４２ａ、４２ｂ間に交流電圧を印加すると、圧電性透明基板４１のうち櫛形電極４２が形成された面に、図４中Ｙ方向に進行性の表面弾性波が発生する。
【００５３】
この表面弾性波の波長と振幅は、光学ローパスフィルタ４と撮像素子１０との間隔、ニオブ酸リチウム等の圧電性透明基板４１の屈折率、そして分離する像の幅で決まる。撮像素子１０の画素ピッチを５μmとすると、所望の光学ローパス効果を得るためには撮像素子１０上で画素ピッチに相当する約５μmの像分離幅が必要となる。ここで、光学ローパスフィルタ４と撮像素子１０との間隔を約６ｍｍに設定すると、波長４００μm、振幅２０ｎｍの表面弾性波を発生させることにより、約５μmの像分離が可能となる。このとき、櫛形電極４２ａと櫛形電極４２ｂの間隔は２００μmに設定すればよい。
【００５４】
図９（Ａ）において、表面弾性波の凹の頂点を通過する光線は、光学ローパスフィルタ４で屈折作用を受けずに直進し、撮像素子１０のうち位置（I）の画素に入射する。ここで、１３はマイクロレンズ、１２はカラーフィルタ、１１は光電変換部であり、これらの部材は各画素に対応して設けられている。
【００５５】
表面弾性波が図９（Ａ）の状態から１／４波長進行した状態を示したのが図９（Ｂ）である。このとき、圧電性透明基板４１の同じ位置に入射した光線（図９（Ａ）で示す光線と同じ光線）は、表面弾性波の中腹から出射するため、屈折作用を受けて撮像素子１０における位置（II）の画素、すなわち、位置（I）の画素に対してＹ（−）方向で隣接する画素に入射する。
【００５６】
表面弾性波が図９（Ｂ）の状態から１／４波長進行した状態を示したのが図９（Ｃ）である。このとき、圧電性透明基板４１の同じ位置に入射した光線（上記と同じ光線）は、表面弾性波の凸の頂点から出射するため、屈折作用を受けずに直進して撮像素子１０の位置（I）の画素に入射する。
【００５７】
表面弾性波が図９（Ｃ）の状態から１／４波長進行した状態を示したのが図９（Ｄ）である。このとき、圧電性透明基板４１の同じ位置に入射した光線（上記と同じ光線）は、表面弾性波の中腹から出射するため、屈折作用を受けて撮像素子１０における位置（III）の画素、すなわち、位置（I）の画素に対してＹ（＋）方向で隣接する画素に入射する。
【００５８】
ニオブ酸リチウムからなる圧電性透明基板４１を伝搬する表面弾性波の伝搬速度は約４０００ｍ／ｓであり、実際にはシャッタ２が開いている露光時間中に表面弾性波が５波長程度（露光時間による）進行する。このため、露光時間中に光線は、図９（Ａ）から（Ｄ）、図９（Ｄ）から（Ａ）の状態で変化し、撮像素子１０上で５往復程度走査される。
【００５９】
ここで、露光時間中に表面弾性波を少なくとも１波長以上進行させれば、光線を１往復操作できるため、画素ピッチに対応した像分離を行うことができ、光線の広がりのバラツキを小さくすることができる。
【００６０】
なお、図９は、表面弾性波がＹ方向に進行するときの光線の状態を示したものであるが、上述したように光学ローパスフィルタ４のＸ方向においてもＹ方向の表面弾性波と独立した表面弾性波を発生させているため、撮影光線はＸ方向においても図９と同様の挙動を示す。
【００６１】
図１０は、光学ローパスフィルタ４に表面弾性波を発生させた場合における１本の撮影光線の撮像素子１０上での分離像を示したものであり、図中の太線は、撮像素子１０上における撮影光線の入射位置の軌跡を示す。
【００６２】
ここで、Ｙ軸およびＸ軸の交点が図９における位置（I）に相当し、Ｙ方向の太線のうちＹ（−）方向での端部が図９における位置（II）に相当し、Ｙ（＋）方向での端部が図９における位置（III）に相当する。図１０では、Ｙ方向およびＸ方向において、約５μｍの幅で像が分離していることを示している。
【００６３】
図１１は、光学ローパスフィルタ４に表面弾性波を発生させた場合における１本の撮影光線の分離像の強度分布を示したものである。
【００６４】
正弦波状の表面弾性波の頂点近傍では、位置に対する波の傾きの変化率が大きい（波の頂点を挟んだ両側において、波の接線の傾きが大きく変化する）ため、表面弾性波の頂点近傍で屈折する屈折角の小さい撮影光線の撮像素子１０上での走査速度は速くなる。一方、正弦波状の表面弾性波の中腹近傍では、位置に対する波の傾きの変化率が小さい（波の中腹における接線の傾きの変化が小さい）ため、表面弾性波の中腹近傍で屈折する屈折角の大きい撮影光線の撮像素子１０上での走査速度は遅くなる。
【００６５】
この結果、撮影光線の分離像は、屈折角の小さい撮影光線の強度（図１１の強度分布における中央領域）が低く、屈折角の大きい撮影光線の強度（図１１の強度分布における両端）が高い強度分布の分離像が得られることとなる。
【００６６】
図１２は、図１１に示したような撮影光線の分離像の強度分布が得られたときの、光学ローパスフィルタのＭＴＦ特性を示したものである。
【００６７】
本実施例のように光学ローパスフィルタ４に進行性の表面弾性波を発生させることにより、図１１の撮影光線の分離像の強度分布に示すように、従来の光学ローパスフィルタのような２点の像分離ではなく、連続した線上の像分離となる。このため、図１２のＭＴＦ特性で示すように、所定の空間周波数より高い空間周波数成分のレスポンスが落ち、光学ローパス効果の点でより好ましい特性になっている。
【００６８】
この結果、撮像素子１０の画素の配列周期で決まる所定の空間周波数より細かな空間周波数成分を含む被写体像を撮像した場合に生じていたモアレや偽色の発生を防止でき、品位の高い画像を得ることができる。
【００６９】
図６の撮像動作のフローチャートにおいて、シャッタ２の開き動作後、所定時間（露光時間）経過すると、ＣＰＵ２０はシャッタ制御回路２８にシャッタ閉信号を送ってシャッタ２を閉じ駆動させる（Ｓ１２６）。また、ＣＰＵ２０は、撮像素子制御回路２１に撮像終了信号を送信して、撮像素子１０による撮像動作を終了する（Ｓ１２７）。
【００７０】
一方、撮影者が撮影モードを選択するためのモードダイヤル１９を操作して高解像撮影モードに設定していれば（Ｓ１２４）、ＣＰＵ２０は光学ローパスフィルタ４に表面弾性波を発生させずに撮像素子１０への露光を行わせる。
【００７１】
光学ローパスフィルタ４を構成する圧電性透明基板４１の光学軸は面内にあるため、光学ローパスフィルタ４に表面弾性波を発生させなければ、光学ローパスフィルタ４は一般的な透明基板として作用して像分離は発生しない。シャッタ２の開き動作後、所定時間（露光時間）経過すると、ＣＰＵ２０はシャッタ制御回路２８にシャッタ閉信号を送ってシャッタ２を閉じ駆動させる（Ｓ１２６）。また、ＣＰＵ２０は、撮像素子制御回路２１に撮像終了信号を送信して、撮像素子１０による撮像動作を終了する（Ｓ１２７）。
【００７２】
このように、光学ローパスフィルタ４に表面弾性波を発生させなければ、撮像素子１０の画素数に対応した高解像度の画像を得ることが可能となる。
【００７３】
また、撮影者が撮影モードを選択するためのモードダイヤル１９を操作して自動選択モードに設定していれば（Ｓ１２２）、ＣＰＵ２０は撮像画像データから算出されたＡＦ評価値を光学ローパス効果判定レベルと比較する。ここでいうＡＦ評価値は、被写体画像のコントラストを表している。また、被写体画像のコントラストが低い場合には、光学ローパス効果を発現させる必要がないため、この判定を行うための基準として光学ローパス効果判定レベルが予め設定されている。
【００７４】
ＡＦ評価値が光学ローパス効果判定レベルよりも低い場合は（Ｓ１２３）、ＣＰＵ２０は光学ローパスフィルタ４に表面弾性波を発生させずに高解像度の画像が得られる撮影モードで撮像動作を行う。
【００７５】
一方、ＡＦ評価値が光学ローパス効果判定レベルよりも高い場合は（Ｓ１２３）、ＣＰＵ２０は光学ローパスフィルタ４に表面弾性波を発生させて（Ｓ１２５）、光学ローパス効果が得られる撮影モードで撮像動作を行う。光学ローパスフィルタ４に表面弾性波を発生させて光学ローパス効果を得る撮像動作は上述の通りである。
【００７６】
このように、カメラに自動選択モードを設けることにより、光学ローパス効果を発生させるか否かの判断をカメラ任せにすることができ、撮影者のカメラ操作の煩雑性を軽減することができる。
【００７７】
本画像の撮像動作が終了すると（Ｓ１２８）、撮像素子１０にて撮像された画像信号は、撮像素子制御回路２１にてＡ／Ｄ変換された後に画像処理回路２４にて画像処理が行われる。このとき、撮像素子１０からの出力信号に基づいて色再現のために所定の画像処理が行われる。
【００７８】
そして、所定の画像処理が行われた画像信号は、ＣＰＵ２０を介して液晶表示素子駆動回路２５に送られ液晶表示素子９に表示される（図５のＳ１０９）。これにより、撮影者は接眼レンズ３を通して液晶表示素子９に表示された被写体像（本画像）を観察することが可能となる。同時に、ＣＰＵ２０は撮像された画像信号をそのままカメラ１のメモリ回路２２に記憶させる（Ｓ１１０）。
【００７９】
撮影動作が終了し、撮影者がメインスイッチをオフ状態にすると（Ｓ１０１）、カメラの電源が落ちて待機状態となる（Ｓ１１２）。
【００８０】
本実施例では、撮像素子１０の画素配列方向（Ｘ方向）に対して平行な方向および垂直な方向においてそれぞれ独立した表面弾性波を発生させて、撮影光線をＸ方向とＹ方向に直線的な像分離を行う場合について説明したが、これに限るものではない。
【００８１】
具体的には、図１３のタイミングチャートに示すように、光学ローパスフィルタ４の櫛形電極４３ａと櫛形電極４３ｂとの間に印加する交流電圧Ｖ４３ａ−４３ｂと、櫛形電極４２ａと櫛形電極４２ｂとの間に印加する交流電圧Ｖ４２ａ−４２ｂを、同一期間内に極性が反転するような電圧とすることにより、図１４の分離像説明図に示すような、Ｘ軸方向およびＹ軸方向の２軸方向に像を分離することができるとともに、Ｘ軸に対して±４５°の方向にも像を分離することが可能となる。
【００８２】
これにより、撮像素子１０の画素配列のうちＸ方向に対して±４５°方向の周期構造に対するモアレや偽色の影響を除去することができ、Ｘ方向およびＹ方向に像分離させる場合に比べてさらに品位の高い画像を得ることが可能となる。
【００８３】
また、本実施例では、光学ローパスフィルタ４の４辺のうち互いに直交する２辺に櫛形電極４２及び櫛形電極４３を設けることで進行性の表面弾性波を発生させる例を示したが、圧電性透明基板４１に定在波としての表面弾性波を発生させるようにしてもよく、この場合にも光学ローパス効果を得ることができる。
【００８４】
具体的には、図１５の光学ローパスフィルタ説明図に示すように、点線で囲まれた領域（撮像素子１０の撮影有効領域に相当する領域）を挟んで櫛形電極４２と対向する位置に櫛形電極４５（４５ａ、４５ｂ）を設け、表面弾性波発生回路２７によって各櫛形電極４２、４５に位相が異なる交流電圧を印加することにより、Ｙ方向における表面弾性波（定在波）を発生させることができる。また、点線で囲まれた領域を挟んで櫛形電極４３と対向する位置に櫛形電極４４（４４ａ、４４ｂ）を設け、各櫛形電極４３、４４に位相が異なる交流電圧を印加することにより、Ｘ方向における表面弾性波（定在波）を発生させることができる。
【００８５】
図１６は、図１５に示した光学ローパスフィルタ４を透過する撮影光束の説明図である。４０は石英等からなる透明基板で、この透明基板４０上にはＺｎＯからなる圧電性透明薄膜４１が蒸着されている。
【００８６】
図１６（Ａ）は、櫛形電極４２、４５に電圧を印加していない場合における撮影光線の状態を示している。撮影レンズ（図１の５ａ、５ｂ）を透過した被写体光束は、光学ローパスフィルタ４にて光線が曲げられずに出射して撮像素子１０のマイクロレンズ１３の近傍に収斂する。ここで、図１６（Ａ）に示すように、複数の光線は、撮像素子１０上の特定の位置に到達することになる。
【００８７】
一方、図１６（Ｂ）は、櫛形電極４２、４５に位相の異なる交流電圧を印加した場合における撮影光線の状態を示している。櫛形電極４２、４５に位相の異なる交流電圧を印加すると、透明基板４０上に形成された圧電性透明薄膜４１に表面弾性波の定在波が発生する。
【００８８】
撮影レンズを透過した被写体光束のうち定在波の頂点以外の領域を通過する光線は、光学ローパスフィルタ４の射出面に生じている表面弾性波の定在波によって、曲げられて出射して撮像素子１０のマイクロレンズ１３の近傍に到達する。また、定在波の頂点を通過する光線は、屈折作用を受けずに撮像素子１０のマイクロレンズ１３に入射する。
【００８９】
このとき、撮影レンズの瞳の異なる領域を透過した複数の光線はそれぞれ、表面弾性波の定在波からの出射位置が異なるため、撮像素子１０上の異なる位置に広がって到達する。このため、定在波としての表面弾性波を発生させた場合でも、光学ローパス効果を得ることができる。
【００９０】
また、本実施例では、光学ローパスフィルタ４の櫛形電極を撮像素子１０の画素配列方向に対して平行及び直交する方向に配置して表面弾性波を発生させる例を示したが、撮像素子１０の画素配列方向に対して斜め４５度方向に表面弾性波が発生するように光学ローパスフィルタ４を構成してもよい。この場合には、撮像素子の画素配列のうち斜め４５度方向の周期構造に対するモラレや偽色を除去することができる。
【００９１】
さらに、本実施例ではデジタルスチルカメラの例を示したが、ビデオカメラ、撮像素子付き計測装置、画像読み取り装置等といった光学機器にも適用することができる。
【実施例２】
【００９２】
図１７〜図２２は、本発明の実施例２であるカメラシステムを説明するための図である。ここで、図１７は、本実施例におけるカメラシステムの構成図である。本実施例のカメラシステムは、カメラ本体１０１と、このカメラ本体１０１に着脱可能に装着されるレンズ装置１０５とで構成されている。
【００９３】
図１７において、１１０はＣＣＤやＣＭＯＳイメージセンサ等の撮像素子で、カメラ本体１に装着されたレンズ装置１０５内の撮影レンズ１０５ａ、１０５ｂの予定結像面に配置されている。撮影レンズ１０５ａ、１０５ｂは、光軸方向への移動によって撮影光学系の変倍動作および焦点調節動作を行う。撮像素子１０に対して被写体側（図１７の左側）の近傍には、光学ローパスフィルタ１０４が撮影光路中に固定された状態で配置されている。
【００９４】
１０２は、複数の遮光部材からなる先幕および後幕を有するフォーカルプレンシャッタであり、光学ローパスフィルタ１０４と撮像素子１１０との間に配置されている。１０９はカメラ本体１０１の背面に設けられた液晶表示素子で、撮像素子１１０にて得られた被写体像を表示する。これにより、撮影者はカメラシステム外部から被写体像を観察することができる。
【００９５】
レンズ装置１０５は、カメラ本体１０１の前面に設けられたレンズマウント５０にて連結されており、レンズ装置１０５およびカメラ本体１０１間でデータの通信を行うことができるようになっている。なお、撮影レンズ１０５ａ、１０５ｂは便宜上２枚のレンズとして示しているが、実際は多数枚のレンズで構成されている。
【００９６】
また、レンズ装置１０５内には絞り１５１が配置されており、この絞り１５１は光通過口の径を変化させることにより撮像面に入射する被写体光の光量を調節する。
【００９７】
跳ね上げミラー１０６は撮影光路に対して進退可能となっており、撮影光路中に斜設されているときには、撮影レンズ１０５ａ、１０５ｂを透過した被写体光束の一部をピント板１０７側に反射させるとともに、残りの光束を焦点検出ユニット１３４に導く。
【００９８】
ピント板１０７にて拡散した被写体光は、ペンタダハプリズム８で光路変換された後、接眼レンズ３から出射する。これにより、撮影者は接眼レンズ３を介して被写体像を観察することができる。焦点検出ユニット１３４は、跳ね上げミラー６から導かれた光を受光することで撮影レンズ５の焦点調節状態を検出する。本実施例のカメラシステムは、公知の瞳分割位相差方式により撮影光学系の焦点調節状態の検出を行うものであり、焦点検出ユニット１３４には、不図示のフィールドレンズ、２次結像レンズ、絞り、撮像素子等といった、瞳分割位相差方式による焦点調節状態を検出するための部材が含まれている。
【００９９】
一方、跳ね上げミラー１０６が撮影光路から退避しているときには、撮影レンズ１０５ａ、１０５ｂを透過した被写体光が像面側に向かうようになっている。
【０１００】
本実施例において、カメラ本体１０１に搭載される撮像素子１１０の構成は、実施例１で説明した撮像素子１０と同様であり、２次元方向（Ｘ−Ｙ方向）に光電変換部を有する画素が周期的に配列されている。本実施例でも、Ｘ方向を画素配列方向と定める。また、本実施例における光学ローパスフィルタ１０４の構成は、実施例１（図４）で説明した光学ローパスフィルタ４と同じ構成であるため、詳しい説明を省略する。
【０１０１】
図１８は、本実施例におけるカメラシステムの電気回路ブロック図である。
【０１０２】
図１８において、カメラ本体１０１には、カメラ全体の動作を制御するカメラＣＰＵ１２０が設けられており、レンズ装置１０５には、レンズ全体の動作を制御するレンズＣＰＵ１３０が設けられている。カメラＣＰＵ１２０およびレンズＣＰＵ１３０は、電気接点１３１を介して互いにデータの通信を行うことができるようになっている。
【０１０３】
まず、カメラ本体１０１における回路構成について説明する。
【０１０４】
シャッタ制御回路１２８は、カメラＣＰＵ２０からの出力に基づいてシャッタ１０２の駆動を制御する。表面弾性波発生回路１２７は、カメラＣＰＵ１２０の出力に基づいて光学ローパスフィルタ１０４に光学ローパス効果を発現させるためのものであり、詳しい説明は後述する。
【０１０５】
撮像素子制御回路１２１は、カメラＣＰＵ１２０の出力に基づいて撮像素子１１０の駆動（画像の蓄積および読み出し）を制御する。画像処理回路１２４は、撮像素子１１０にて撮像した画像信号に対して画像処理（色処理やガンマ補正等）を行い、液晶表示素子駆動回路１２５は、カメラＣＰＵ１２０の出力に基づいて液晶表示素子９を駆動する。
【０１０６】
メモリ回路１２２は、撮像素子１１０にて撮像された画像データを記録し、インターフェイス回路１２３は、画像処理回路１２４にて画像処理された画像データをカメラシステム外部（ＰＣやプリンタ等）に出力する。
【０１０７】
信号入力回路１２９は、各種スイッチの設定状態を確認してカメラＣＰＵ１２０に出力する。具体的には、カメラ本体１０１に設けられたレリーズボタンの操作によってオン／オフするＳＷ１、ＳＷ２の状態やカメラ本体１０１に設けられたモードダイヤル１１９の操作状態を確認してカメラＣＰＵ１２０に出力する。焦点検出回路１３３は、焦点検出ユニット１３４の駆動を制御する。
【０１０８】
ここで、モードダイヤル１１９の構成は、実施例１で説明したモードダイヤル１９と同じである。すなわち、モードダイヤル１１９を操作することにより、光学ローパス効果を発現させる光学ローパス効果撮影モード、光学ローパス効果を発現させずに解像度の高い画像を得るための高解像度撮影モード、光学ローパス効果撮影モードおよび高解像度撮影モードのうち一方の撮影モードをカメラシステムが自動的に選択する自動撮影モードを設定することができる。
【０１０９】
次に、レンズ装置１０５における回路構成について説明する。
【０１１０】
レンズ駆動回路１２６は、レンズＣＰＵ１３０の出力に基づいて撮影レンズ１０５ａ、１０５ｂの駆動を制御する。絞り制御回路１３２は、レンズＣＰＵ１３０の出力に基づいて絞り１５１の駆動を制御する。
【０１１１】
以下、図１９のフローチャートを用いて本実施例のカメラシステムの動作について説明する。
【０１１２】
撮影者がカメラ本体１０１に設けられたメインスイッチ（図１７では不図示）をオン状態にすると（Ｓ２０１）、カメラ本体１０１は待機状態から復帰する。カメラＣＰＵ１２０は、信号入力回路１２９を介して不図示のレリーズスイッチのＳＷ１がオン状態となっているか否かを確認する（Ｓ２０２）。撮影者が不図示のレリーズボタンを半押し操作することによってＳＷ１がオン状態になったことを信号入力回路１２９を介して検知すると（Ｓ２０２）、カメラＣＰＵ１２０は撮影光学系の焦点調節状態の検出を実行する（Ｓ２０３）。具体的には、焦点検出ユニット１３４からの出力に基づいて、瞳分割位相差方式による焦点調節状態の検出を行う。
【０１１３】
焦点調節状態の検出機能を兼ね備えたカメラＣＰＵ１２０は、焦点検出回路１３３に焦点検出信号を送って焦点検出ユニット１３４の撮像素子を用いて焦点検出用の瞳分割画像を撮像する。そして、撮像された２つの瞳分割画像の相対的な位置ずれ量により、撮影レンズ１０５のデフォーカス量を算出する。
【０１１４】
撮影レンズ１０５が合焦状態ではないと判定したら（Ｓ２０４）、カメラＣＰＵ１２０は、レンズＣＰＵ１３０を介してレンズ駆動回路１２６にレンズ駆動信号を送って撮影レンズ１０５をデフォーカス量に対応した量だけ駆動させる（Ｓ２０９）。
【０１１５】
一方、撮影レンズ１０５が合焦状態にあると判定したら（Ｓ２０４）、カメラＣＰＵ１２０は信号入力回路１２９を介してレリーズスイッチのＳＷ２がオン状態にあるか否かを確認する。ＳＷ２がオン状態であれば（Ｓ２０５）、メモリ回路１２２に本画像を記録するための撮像動作を行う（Ｓ２０６）。
【０１１６】
ここで、図２０のフローチャートと図２１のタイミングチャートを用いて本実施例のカメラシステムにおける本画像の撮像動作を説明する。
【０１１７】
カメラＣＰＵ１２０は、ＳＷ２がオン状態になったことに応じて撮像素子制御回路１２１に撮像信号を送ることで撮像素子１１０にて本画像の撮像を開始する（Ｓ２２０）。撮像素子制御回路１２１は、撮像素子１１０に撮像制御信号Ｓｅｎｓを送って撮像素子１１０の駆動を制御する。次に、カメラＣＰＵ１２０は、シャッタ制御回路１２８にシャッタレリーズ信号ＳＨを送ってフォーカルプレンシャッタ２のレリーズスイッチを開放する（Ｓ２２１）。これにより、先幕および後幕が所定のスリットを形成しながら、走行することになる。
【０１１８】
また、カメラＣＰＵ１２０は、信号入力回路１２９を介して撮影モードを選択するためのモードダイヤル１１９の設定状態を確認する。撮影者によるモードダイヤル１１９の操作によって光学ローパス効果撮影モードが設定されていれば（Ｓ２２４）、光学ローパスフィルタ１０４に表面弾性波を発生させて光学ローパス効果が得られる撮影モードで撮像動作を行う。すなわち、カメラＣＰＵ１２０は表面弾性波発生回路１２７に信号を送って、光学ローパスフィルタ１０４に表面弾性波を発生させる（Ｓ２２５）。
【０１１９】
図２１のタイミングチャートに示すように、表面弾性波発生回路１２７は光学ローパスフィルタ１０４に設けられた１組の櫛形電極（図４の櫛形電極４３ａ、４３ｂ）間にＳＡＷ＿Ｘのタイミングで交流電圧を印加するとともに、もう１組の櫛形電極（図４の櫛形電極４２ａ、４２ｂ）間にＳＡＷ＿Ｙのタイミングで交流電圧を印加する。本実施例では、本画像の撮像動作を行っている間に、撮像素子１１０の画素配列方向と平行な方向（図４のＸ方向）に所定周期で表面弾性波を発生させるとともに、撮像素子１１０の画素配列方向と垂直な方向（図４のＹ方向）に所定周期で表面弾性波を発生させるようにしている。
【０１２０】
ここで、表面弾性波発生回路１２７から２つの櫛形電極に出力されるＳＡＷ＿Ｘ、ＳＡＷ＿Ｙの駆動信号は、同一周期であって、互いに異なるタイミングで出力されるようになっているため、表面弾性波が光学ローパスフィルタ１０４の２軸方向にそれぞれ独立して発生することになる。
【０１２１】
光学ローパスフィルタ１０４に表面弾性波が発生したときの撮影光線の状態を示したのが図２２である。
【０１２２】
同図において、光学ローパスフィルタ１０４は、石英等の透明基板１４０の上にＺｎＯ等の圧電性透明薄膜１４１が蒸着されている。また、圧電性透明薄膜１４１の一端には櫛形電極１４２ａ、１４２ｂが蒸着されている。このように、光学ローパスフィルタ１０４は１枚の透明基板１４０と、この上に蒸着された圧電性透明薄膜１４１で構成されているため、光学ローパスフィルタ１０４の厚みを薄くすることができ、カメラの機種によらず撮影光路中に配置することができる。なお、光学ローパスフィルタ１０４を圧電性透明基板で構成してもよい。
【０１２３】
フォーカルプレンシャッタ１０２の先幕１０２ａおよび後幕１０２ｂは、レリーズ信号（ＳＷ２）に基づいて図２２中のＹ方向に走行するようになっており、撮影レンズ１０５を透過した被写体光は、先幕１０２ａおよび後幕１０２ｂによって形成されるスリットを通過して撮像素子１１０に入射する。
【０１２４】
図２１のタイミングチャートのＥＸＰ．＿１、ＥＸＰ．＿２、・・・ＥＸＰ．＿ｎで示す点線は、撮像素子１１０の１ライン、２ライン、・・・ｎライン（図２２において、Ｘ方向に延び、Ｙ方向において並列となるライン）の画素列への露光タイミングを示したものである。この露光タイミングは、スリットの移動に応じて変化することになる。
【０１２５】
図２２において、例えば表面弾性波の中腹から出射する光線は屈折作用を受けることで、先幕１０２ａおよび後幕１０２ｂのスリットを通過して撮像素子１１０上に入射する。この表面弾性波は進行波であるためスリット露光中に進行し、実施例１での説明（図９、図１０）と同様に、撮像素子１１０の画素ピッチに相当する撮影光束の像分離を達成する。
【０１２６】
この結果、撮像素子１１０の画素の配列周期で決まる所定の空間周波数より細かな空間周波数成分を含む被写体像を撮像した場合に生じていたモアレや偽色の発生を防止することができ、品位の高い画像を得ることができる。
【０１２７】
図２０の撮像動作のフローチャートにおいて、フォーカルプレンシャッタ１０２の走行終了にあわせて、カメラＣＰＵ１２０は撮像素子制御回路１２１に撮像終了信号を送信して、撮像素子１１０による撮像動作を終了する（Ｓ２２６）。
【０１２８】
一方、撮影者がモードダイヤル１１９を操作することで高解像撮影モードが設定されている場合には（Ｓ２２４）、カメラＣＰＵ１２０は光学ローパスフィルタ１０４に表面弾性波を発生させずに撮像素子１１０への露光を行わせる。光学ローパスフィルタ１０４に表面弾性波を発生させなければ、光学ローパスフィルタ１０４は一般的な透明基板として作用して像分離は発生しない。
【０１２９】
フォーカルプレンシャッタ１０２の走行終了に応じてカメラＣＰＵ１２０は、撮像素子制御回路２１に撮像終了信号を送信して、撮像素子１１０による撮像動作を終了する（Ｓ２２６）。
【０１３０】
このように、光学ローパスフィルタ１０４を構成する圧電性透明基板１４１の光学軸は面内にあるため、光学ローパスフィルタ１０４に表面弾性波を発生させなければ、撮像素子１１０の画素数に対応した高解像度の画像を得ることが可能となる。
【０１３１】
また、撮影者がモードダイヤル１１９を操作することにより自動選択モードが設定されていれば（Ｓ２２２）、カメラＣＰＵ１２０は直前に撮像された画像に周期的な画像が含まれているかどうかを判定する。カメラＣＰＵ１２０は、撮像された画像に周期的な画像が含まれているかどうかを判定するために、撮像された画像の空間周波数特性を求める。
【０１３２】
ここで、算出された画像の空間周波数特性から周期的な画像が含まれていないと判定したら（Ｓ２２３）、カメラＣＰＵ１２０は光学ローパスフィルタ１０４に表面弾性波を発生させずに高解像度の画像が得られる撮影モードで撮像動作を行う。
【０１３３】
一方、 算出された画像の空間周波数特性から周期的な画像が含まれていると判定したら（Ｓ２２３）、カメラＣＰＵ１２０は光学ローパスフィルタ１０４に表面弾性波を発生させて（Ｓ２２５）、光学ローパス効果が得られる撮影モードで撮像動作を行う。光学ローパスフィルタ１０４に表面弾性波を発生させて光学ローパス効果を得る撮像動作は上述の通りである。
【０１３４】
このように、カメラシステムに自動選択モードを設定することにより、光学ローパス効果を発生させるか否かの判断をカメラシステム任せにすることができ、撮影者のカメラシステムの操作の煩雑性を軽減することができる。
【０１３５】
本画像の撮像動作が終了すると（Ｓ２２７）、撮像素子１１０にて撮像された画像信号は、撮像素子制御回路１２１にてＡ／Ｄ変換された後に画像処理回路１２４にて画像処理が行われる。このとき、撮像素子１１０からの出力信号に基づいて色再現のために所定の画像処理が行われる。
【０１３６】
そして、所定の画像処理が行われた画像信号は、カメラＣＰＵ１２０を介して液晶表示素子駆動回路１２５に送られ、液晶表示素子１０９において本画像の表示が行われる（図１９のＳ２０７）。これにより、撮影者は撮像された被写体像（本画像）を液晶表示素子９にて観察することができる。
【０１３７】
同時に、カメラＣＰＵ１２０は撮像された画像信号をそのままカメラ本体１０１のメモリ回路１２２に記憶させる（Ｓ２０８）。撮影動作が終了し、撮影者がメインスイッチをオフ状態にすると（Ｓ２０１）、カメラシステムの電源が落ちて待機状態となる（Ｓ２１０）。
【０１３８】
本実施例では、光学ローパスフィルタ１０４を、跳ね上げミラー１０６とフォーカルプレンシャッタ１０２との間に配置した例を示したが、シャッタ１０２と撮像素子１１０との間や、レンズマウント１５０と跳ね上げミラー１０６との間に配置してもかまわない。
【０１３９】
また、本実施例では、光学ローパスフィルタ１０４として、圧電性透明基板又は圧電性透明薄膜上に表面弾性波を発生させる例を示したが、図２３の光学ローパスフィルタの動作説明図に示すように、ガラス等の透明基板１４０の表面の端部に圧電体１４１を設け、透明基板１４０の表面方向（図２３の矢印方向）に圧電体１４１を伸縮させることにより、透明基板１４０自身に進行波を発生させて撮影光束を分離するような構成にしてもかまわない。
【０１４０】
なお、上述した実施例では、被写体からの光線を光学ローパスフィルタで透過させて撮像素子に導く構成について説明したが、光線を反射させて撮像素子に導く光学系においては、この反射面に上記の実施例で説明したような表面弾性波等を発生させるようにしてもよい。
【図面の簡単な説明】
【０１４１】
【図１】実施例１であるカメラの概略構成図。
【図２】実施例１のカメラにおける電気回路ブロック図。
【図３】撮像素子の正面図。
【図４】光学ローパスフィルタの正面図。
【図５】実施例１のカメラにおける動作フローチャート。
【図６】実施例１のカメラにおける本画像の撮像動作のフローチャート。
【図７】モードダイヤルの説明図。
【図８】本画像の撮像時におけるタイミングチャート。
【図９】実施例１における光学ローパスフィルタの動作説明図（Ａ〜Ｄ）。
【図１０】実施例１における分離像の説明図。
【図１１】分離像の強度分布。
【図１２】実施例１における光学ローパスフィルタのＭＴＦ特性。
【図１３】実施例１の変形例であって、本画像の撮像時におけるタイミングチャート。
【図１４】実施例１の変形例における分離像の説明図。
【図１５】実施例１の変形例における光学ローパスフィルタの正面図。
【図１６】実施例１の変形例における光学ローパスフィルタの動作説明図（Ａ、Ｂ）。
【図１７】実施例２であるカメラシステムの概略構成図。
【図１８】実施例２であるカメラシステムの電気回路ブロック図。
【図１９】実施例２のカメラシステムにおける動作フローチャート。
【図２０】実施例２のカメラシステムにおける本画像の撮像動作のフローチャート。
【図２１】実施例２の本画像の撮像時におけるタイミングチャート。
【図２２】実施例２における光学ローパスフィルタの動作説明図。
【図２３】実施例２の変形例である光学ローパスフィルタの動作説明図。
【図２４】従来例における光学ローパスフィルタのＭＴＦ特性。
【符号の説明】
【０１４２】
１・・・カメラ
２・・・シャッタ
３・・・接眼レンズ
４・・・光学ローパスフィルタ
５・・・撮影レンズ
９・・・液晶表示素子
１０・・・撮像素子
２０・・・ＣＰＵ
２１・・・撮像素子制御回路
２２・・・メモリ回路
２３・・・インターフェイス回路
２４・・・画像処理回路
２５・・・液晶表示素子駆動回路
２６・・・レンズ駆動回路
２７・・・表面弾性波発生回路
２８・・・シャッタ制御回路
２９・・・信号入力回路
１０１・・・カメラ本体
１０４・・・光学ローパスフィルタ
１０５・・・レンズ装置
１１０・・・撮像素子
【図１】
2005072778.tif 000003
【図２】
2005072778.tif 000004
【図３】
2005072778.tif 000005
【図４】
2005072778.tif 000006
【図５】
2005072778.tif 000007
【図６】
2005072778.tif 000008
【図７】
2005072778.tif 000009
【図８】
2005072778.tif 000010
【図９】
2005072778.tif 000011
【図１０】
2005072778.tif 000012
【図１１】
2005072778.tif 000013
【図１２】
2005072778.tif 000014
【図１３】
2005072778.tif 000015
【図１４】
2005072778.tif 000016
【図１５】
2005072778.tif 000017
【図１６】
2005072778.tif 000018
【図１７】
2005072778.tif 000019
【図１８】
2005072778.tif 000020
【図１９】
2005072778.tif 000021
【図２０】
2005072778.tif 000022
【図２１】
2005072778.tif 000023
【図２２】
2005072778.tif 000024
【図２３】
2005072778.tif 000025
【図２４】
2005072778.tif 000026